(57)【要約】【課題】ユーザによるユーザ所望の番組の検索を容易にすることができるテレビジョン受信装置を提供する。【解決手段】ＴＶ受信装置１のおいて、ユーザによる操作部１６の操作により選択された一の番組に関するＴＶ放送信号を、チューナ１１に受信させる受信制御プログラム１８３ａを実行したＣＰＵ１８１と、最初に指定された一のジャンルと、選択された一の番組が属するジャンルと、の相関性を示す相関評価値を作成して記憶する相関データテーブル１７ｂと、ユーザによる操作部１６の操作により指定された一のジャンルに属する番組のＥＰＧ情報に基づくジャンル別番組表とともに、相関データテーブル１７ｂに記憶された当該一のジャンルとの間の相関評価値が所定の条件を満たすジャンルを、映像表示部１５に表示させる表示制御プログラム１８３ｂを実行したＣＰＵ１８１と、を備えるよう構成した。【選択図】図１
2008054198.tif 000002
【特許請求の範囲】
【請求項１】
テレビジョン放送波からテレビジョン放送信号を受信する受信手段と、
前記テレビジョン放送波から番組のジャンルを示すジャンル情報を含む番組情報を取得する取得手段と、
前記取得手段により取得された番組情報を記憶する番組情報記憶手段と、
一のジャンルを指定する第１指定手段と、
前記第１指定手段により一のジャンルが指定された場合に、前記番組情報記憶手段に記憶された当該一のジャンルに属する番組の番組情報に基づいて、所定の番組表を表示手段に表示させる第１表示制御手段と、
前記第１表示制御手段により前記表示手段に表示された所定の番組表の中から、一の番組を選択する選択手段と、
前記選択手段により選択された一の番組に関するテレビジョン放送信号を、前記受信手段に受信させる受信制御手段と、
前記第１指定手段により最初に指定された一のジャンルに対応付けて、前記選択手段により選択された一の番組が属するジャンルの被選択回数を記憶する相関記憶手段と、
前記第１表示制御手段により前記表示手段に表示された前記第１指定手段により指定された一のジャンルに属する番組の番組情報に基づく所定の番組表とともに、前記相関記憶手段に記憶された当該一のジャンルに対応する被選択回数が所定の閾値以上のジャンルを、前記表示手段に表示させる第２表示制御手段と、
前記第２表示制御手段により前記表示手段に表示された前記第１指定手段により指定された一のジャンルに対応する被選択回数が所定の閾値以上の複数のジャンルの中から、一のジャンルを指定する第２指定手段と、
前記第２指定手段により一のジャンルが指定された場合に、前記番組情報記憶手段に記憶された当該一のジャンルに属する番組の番組情報に基づいて、所定の番組表を前記表示手段に表示させる第３表示制御手段と、
を備えることを特徴とするテレビジョン受信装置。
【請求項２】
テレビジョン放送波からテレビジョン放送信号を受信する受信手段と、
前記テレビジョン放送波から番組のジャンルを示すジャンル情報を含む番組情報を取得する取得手段と、
前記取得手段により取得された番組情報を記憶する番組情報記憶手段と、
一のジャンルを指定する指定手段と、
前記指定手段により一のジャンルが指定された場合に、前記番組情報記憶手段に記憶された当該一のジャンルに属する番組の番組情報に基づいて、所定の番組表を表示手段に表示させる第１表示制御手段と、
前記第１表示制御手段により前記表示手段に表示された所定の番組表の中から、一の番組を選択する選択手段と、
前記選択手段により選択された一の番組に関するテレビジョン放送信号を、前記受信手段に受信させる受信制御手段と、
前記指定手段により最初に指定された一のジャンルと、前記選択手段により選択された一の番組が属するジャンルと、の相関性を示す相関評価値を作成して記憶する相関記憶手段と、
前記第１表示制御手段により前記表示手段に表示された前記指定手段により指定された一のジャンルに属する番組の番組情報に基づく所定の番組表とともに、前記相関記憶手段に記憶された当該一のジャンルとの間の相関評価値が所定の条件を満たすジャンルを、前記表示手段に表示させる第２表示制御手段と、
を備えることを特徴とするテレビジョン受信装置。
【請求項３】
請求項２に記載のテレビジョン受信装置において、
前記第２表示制御手段により前記表示手段に表示された前記指定手段により指定された一のジャンルとの間の相関評価値が所定の条件を満たす複数のジャンルの中から、一のジャンルを指定する第２指定手段と、
前記第２指定手段により一のジャンルが指定された場合に、前記番組情報記憶手段に記憶された当該一のジャンルに属する番組の番組情報に基づいて、所定の番組表を前記表示手段に表示させる第３表示制御手段と、
を備えることを特徴とするテレビジョン受信装置。
【請求項４】
請求項２に記載のテレビジョン受信装置において、
前記第１表示制御手段により所定の番組表が前記表示手段に表示された後、前記第２表示制御手段により前記表示手段に表示された当該一のジャンルとの間の相関評価値が所定の条件を満たす複数のジャンルのうちの当該相関評価値が高いジャンルから順に、前記番組情報記憶手段に記憶された当該ジャンルに属する番組の番組情報に基づいて、所定の番組表を前記表示手段に表示させる第３表示制御手段を備えることを特徴とするテレビジョン受信装置。
【発明の詳細な説明】
【技術分野】
【０００１】
本発明は、テレビジョン受信装置に関する。
【背景技術】
【０００２】
従来、テレビジョン受信装置（以下、「ＴＶ受信装置」という）により受信可能な放送媒体として、アナログ放送、ＢＳ（Broadcasting Satellite）デジタル放送、ＣＳ（Communication Satellite）デジタル放送、ケーブル放送等がある。さらに近年では、地上波デジタル放送も加わって、受信可能な番組の数がますます多くなっている。
【０００３】
例えば、デジタル放送を提供する放送局等からは、各番組に関するテレビジョン放送信号（以下、「ＴＶ放送信号」という）の他に、ＥＰＧ（Electronic Program Guide）情報と呼ばれる番組情報が送信されているため、ＴＶ受信装置は、ＥＰＧ情報に基づいて、番組表を表示することができるようになっている。
その上、ＥＰＧ情報には、番組のジャンル（例えば、「スポーツ」、「バラエティ」、「ニュース・報道」等）を示すジャンル情報が含まれているため、ＴＶ受信装置は、ＥＰＧ情報に基づいて、ジャンル別の番組表も表示することができ、その結果、ユーザは、番組が多種多様であっても、所望の番組を容易に検索できるようになっている。
【０００４】
さらに、一のジャンルが選択されると、当該一のジャンルに属する全ての番組に関するＴＶ放送信号を受信し、そして、放送時間が重なる場合には、各番組を同時分割表示又は時分割表示できるＴＶ受信装置等も提案されている（例えば、特許文献１参照）。
【０００５】
ところで、番組のジャンルは、放送局等が決めたものであるため、ユーザが直感するジャンルと異なる場合がある。この場合、ユーザは、ジャンル別の番組表を用いて検索しても、所望の番組を探し出すことができないという問題がある。
【０００６】
この問題を解決するために、例えば、ジャンルや地域などの属性とその属性の重要度とから成る、ユーザがどのようなものにどれだけ興味があるかを示す興味データに基づいて、ユーザの興味に近い番組を推薦する構成（例えば、特許文献２参照）や、ジャンル検索指示がされると、視聴頻度の高いジャンルに属する番組を推薦する構成（例えば、特許文献３参照）などが考えられる。
【特許文献１】特開２００５−９４２３８号公報
【特許文献２】特開２００４−３４３３２１号公報
【特許文献３】特開２００１−１５７１３４号公報
【発明の開示】
【発明が解決しようとする課題】
【０００７】
しかしながら、特許文献２の構成では、興味データが多くなり過ぎると、推薦される番組の数が多くなり、かえって所望の番組を探しづらいという問題がある。
また、特許文献３の構成では、視聴頻度の高くないジャンルに属する番組の中から所望の番組を探す場合には有効でないという問題がある。
【０００８】
本発明の課題は、ユーザによるユーザ所望の番組の検索を容易にすることができるテレビジョン受信装置を提供することにある。
【課題を解決するための手段】
【０００９】
上記課題を解決するために、請求項１に記載の発明は、
テレビジョン受信装置において、
テレビジョン放送波からテレビジョン放送信号を受信する受信手段と、
前記テレビジョン放送波から番組のジャンルを示すジャンル情報を含む番組情報を取得する取得手段と、
前記取得手段により取得された番組情報を記憶する番組情報記憶手段と、
一のジャンルを指定する第１指定手段と、
前記第１指定手段により一のジャンルが指定された場合に、前記番組情報記憶手段に記憶された当該一のジャンルに属する番組の番組情報に基づいて、所定の番組表を表示手段に表示させる第１表示制御手段と、
前記第１表示制御手段により前記表示手段に表示された所定の番組表の中から、一の番組を選択する選択手段と、
前記選択手段により選択された一の番組に関するテレビジョン放送信号を、前記受信手段に受信させる受信制御手段と、
前記第１指定手段により最初に指定された一のジャンルに対応付けて、前記選択手段により選択された一の番組が属するジャンルの被選択回数を記憶する相関記憶手段と、
前記第１表示制御手段により前記表示手段に表示された前記第１指定手段により指定された一のジャンルに属する番組の番組情報に基づく所定の番組表とともに、前記相関記憶手段に記憶された当該一のジャンルに対応する被選択回数が所定の閾値以上のジャンルを、前記表示手段に表示させる第２表示制御手段と、
前記第２表示制御手段により前記表示手段に表示された前記第１指定手段により指定された一のジャンルに対応する被選択回数が所定の閾値以上の複数のジャンルの中から、一のジャンルを指定する第２指定手段と、
前記第２指定手段により一のジャンルが指定された場合に、前記番組情報記憶手段に記憶された当該一のジャンルに属する番組の番組情報に基づいて、所定の番組表を前記表示手段に表示させる第３表示制御手段と、
を備えることを特徴とする。
【００１０】
請求項２に記載の発明は、
テレビジョン受信装置において、
テレビジョン放送波からテレビジョン放送信号を受信する受信手段と、
前記テレビジョン放送波から番組のジャンルを示すジャンル情報を含む番組情報を取得する取得手段と、
前記取得手段により取得された番組情報を記憶する番組情報記憶手段と、
一のジャンルを指定する指定手段と、
前記指定手段により一のジャンルが指定された場合に、前記番組情報記憶手段に記憶された当該一のジャンルに属する番組の番組情報に基づいて、所定の番組表を表示手段に表示させる第１表示制御手段と、
前記第１表示制御手段により前記表示手段に表示された所定の番組表の中から、一の番組を選択する選択手段と、
前記選択手段により選択された一の番組に関するテレビジョン放送信号を、前記受信手段に受信させる受信制御手段と、
前記指定手段により最初に指定された一のジャンルと、前記選択手段により選択された一の番組が属するジャンルと、の相関性を示す相関評価値を作成して記憶する相関記憶手段と、
前記第１表示制御手段により前記表示手段に表示された前記指定手段により指定された一のジャンルに属する番組の番組情報に基づく所定の番組表とともに、前記相関記憶手段に記憶された当該一のジャンルとの間の相関評価値が所定の条件を満たすジャンルを、前記表示手段に表示させる第２表示制御手段と、
を備えることを特徴とする。
【００１１】
請求項３に記載の発明は、
請求項２に記載のテレビジョン受信装置において、
前記第２表示制御手段により前記表示手段に表示された前記指定手段により指定された一のジャンルとの間の相関評価値が所定の条件を満たす複数のジャンルの中から、一のジャンルを指定する第２指定手段と、
前記第２指定手段により一のジャンルが指定された場合に、前記番組情報記憶手段に記憶された当該一のジャンルに属する番組の番組情報に基づいて、所定の番組表を前記表示手段に表示させる第３表示制御手段と、
を備えることを特徴とする。
【００１２】
請求項４に記載の発明は、
請求項２に記載のテレビジョン受信装置において、
前記第１表示制御手段により所定の番組表が前記表示手段に表示された後、前記第２表示制御手段により前記表示手段に表示された当該一のジャンルとの間の相関評価値が所定の条件を満たす複数のジャンルのうちの当該相関評価値が高いジャンルから順に、前記番組情報記憶手段に記憶された当該ジャンルに属する番組の番組情報に基づいて、所定の番組表を前記表示手段に表示させる第３表示制御手段を備えることを特徴とする。
【発明の効果】
【００１３】
請求項１に記載の発明によれば、相関記憶手段によって、第１指定手段により最初に指定された一のジャンルに対応付けて、選択手段により選択された一の番組が属するジャンルの被選択回数を記憶することができ、第２表示制御手段によって、第１表示制御手段により表示手段に表示された第１指定手段により指定された一のジャンルに属する番組の番組情報に基づく所定の番組表とともに、相関記憶手段に記憶された当該一のジャンルに対応する被選択回数が所定の閾値以上のジャンルを、表示手段に表示させることができる。
すなわち、最初に指定された一のジャンルに属する番組の番組表とともに、当該最初に指定された一のジャンルと相関するユーザの感覚に近いジャンルを提示することができるため、ユーザによるユーザ所望の番組の検索を容易にすることができる。
【００１４】
また、第２指定手段によって、第２表示制御手段により表示手段に表示された第１指定手段により指定された一のジャンルに対応する被選択回数が所定の閾値以上の複数のジャンルの中から、一のジャンルを指定することができ、第３表示制御手段によって、第２指定手段により一のジャンルが指定された場合に、番組情報記憶手段に記憶された当該一のジャンルに属する番組の番組情報に基づいて、所定の番組表を表示手段に表示させることができる。
すなわち、ユーザの感覚に近い複数のジャンルの中から一のジャンルを指定すると、当該ジャンルに属する番組の番組表を表示することができるため、ユーザによるユーザ所望の番組の検索をより一層容易にすることができる。
【００１５】
請求項２に記載の発明によれば、相関記憶手段によって、指定手段により最初に指定された一のジャンルと、選択手段により選択された一の番組が属するジャンルと、の相関性を示す相関評価値を作成して記憶することができ、第２表示制御手段によって、第１表示制御手段により表示手段に表示された指定手段により指定された一のジャンルに属する番組の番組情報に基づく所定の番組表とともに、相関記憶手段に記憶された当該一のジャンルとの間の相関評価値が所定の条件を満たすジャンルを、表示手段に表示させることができる。
すなわち、最初に指定された一のジャンルに属する番組の番組表とともに、当該最初に指定された一のジャンルと相関するユーザの感覚に近いジャンルを提示することができるため、ユーザによるユーザ所望の番組の検索を容易にすることができる。
【００１６】
請求項３に記載の発明によれば、請求項２に記載の発明と同様の効果が得られることは無論のこと、第２指定手段によって、第２表示制御手段により表示手段に表示された指定手段により指定された一のジャンルとの間の相関評価値が所定の条件を満たす複数のジャンルの中から、一のジャンルを指定することができ、第３表示制御手段によって、第２指定手段により一のジャンルが指定された場合に、番組情報記憶手段に記憶された当該一のジャンルに属する番組の番組情報に基づいて、所定の番組表を表示手段に表示させることができる。
すなわち、ユーザの感覚に近い複数のジャンルの中から一のジャンルを指定すると、当該ジャンルに属する番組の番組表を表示することができるため、ユーザによるユーザ所望の番組の検索をより一層容易にすることができる。
【００１７】
請求項４に記載の発明によれば、請求項２に記載の発明と同様の効果が得られることは無論のこと、第３表示制御手段によって、第１表示制御手段により所定の番組表が表示手段に表示された後、第２表示制御手段により表示手段に表示された当該一のジャンルとの間の相関評価値が所定の条件を満たす複数のジャンルのうちの当該相関評価値が高いジャンルから順に、番組情報記憶手段に記憶された当該ジャンルに属する番組の番組情報に基づいて、所定の番組表を表示手段に表示させることができる。
すなわち、最初に指定された一のジャンルに属する番組の番組表を表示させた後、自動的に、ユーザの感覚により近いジャンルから順に、当該ジャンルに属する番組の番組表を表示することができるため、ユーザによるユーザ所望の番組の検索をより一層容易にすることができる。
【発明を実施するための最良の形態】
【００１８】
以下、図を参照して、本発明にかかるテレビジョン受信装置（以下、「ＴＶ受信装置」という）の最良の形態を詳細に説明する。なお、発明の範囲は、図示例に限定されない。
【００１９】
＜テレビジョン受信装置の構成＞
まず、ＴＶ受信装置１の構成について、図１〜図４に参照して説明する。
ＴＶ受信装置１は、例えば、図１に示すように、アンテナ１１ａを有するチューナ１１と、復調器１２と、デコーダ１３と、操作部１６と、記憶部１７と、制御部１８と、等を備えて構成される。各部は、バス１０によって接続されている。
さらに、ＴＶ受信装置１は、例えば、デコーダ１３と接続する音声出力部１４や映像表示部１５を備えている。
【００２０】
チューナ１１は、制御部１８から入力される制御信号に従って、例えば、受信手段として、テレビジョン放送波からテレビジョン放送信号（以下、「ＴＶ放送信号」という）を受信する。
具体的には、チューナ１１は、例えば、アンテナ１１ａにより受信されたテレビジョン放送波（例えば、デジタル方式のテレビジョン放送波）から、ユーザ所望の番組のチャンネルに対応する周波数帯域に存在するＴＶ放送信号を受信し、そして、当該受信したＴＶ放送信号を変調して、中間周波信号を復調器１２に出力する。
【００２１】
また、チューナ１１は、制御部１８から入力される制御信号に従って、例えば、取得手段として、テレビジョン放送波から番組のジャンルを示すジャンル情報を含む番組情報としてのＥＰＧ情報を取得する。
具体的には、チューナ１１は、例えば、アンテナ１１ａにより受信されたテレビジョン放送波から、ＥＰＧ情報を取得して、記憶部１７に出力する。
ここで、チューナ１１により取得されるＥＰＧ情報には、ジャンル情報の他に、例えば、番組名、出演者名、チャンネル番号、放送開始時間、放送終了時間等を示す情報が含まれている。
また、チューナ１１により取得されるＥＰＧ情報は、例えば、チューナ１１により受信可能な全てのチャンネルに関するＥＰＧ情報である。
【００２２】
復調器１２は、制御部１８から入力される制御信号に従って、例えば、チューナ１１から出力された中間周波信号に対してデジタル復調や誤り訂正などの処理を施して、ストリーム（例えば、トランスポートストリーム）をデコーダ１３に出力する。
【００２３】
デコーダ１３は、制御部１８から入力される制御信号に従って、例えば、復調器１２から入力されたトランスポートストリームを解読して、当該トランスポートストリームを構成する各トランスポートパケットを判別し、ユーザ所望の番組に関連するトランスポートパケットにかかるデータを、音声データと、映像データと、等に分離する。そして、例えば、当該音声データをデコードして、音声出力部１４に出力するとともに、当該映像データをデコードして、映像表示部１５に出力する。
【００２４】
また、デコーダ１３は、制御部１８から入力される制御信号に従って、チューナ１１により取得されて記憶部１７に記憶されたＥＰＧ情報をデコードして、映像表示部１５に出力する。
【００２５】
音声出力部１４は、例えば、スピーカ機器等であり、デコーダ１３から出力された音声データに基づく音声を出力する。
【００２６】
映像表示部１５は、例えば、液晶表示機器等であり、デコーダ１３から出力された映像データに基づく映像を表示する。
具体的には、映像表示部１５は、例えば、表示手段として、表示制御プログラム１８３ｂを実行したＣＰＵ１８１（後述）が、ＥＰＧ情報に基づく所定の番組表等を表示する際に使用される。
【００２７】
操作部１６は、例えば、ＴＶ受信装置１の外面に備えられた操作ボタン（図示省略）や、ＴＶ受信装置１用のリモートコントローラ（図示省略）及び当該リモートコントローラと通信可能なリモコン受信部（図示省略）などから構成されており、例えば、ユーザにより操作されると、当該操作に伴う各種信号を制御部１８に出力する。
【００２８】
具体的には、操作部１６は、例えば、指定手段（第１指定手段）として、ユーザが、ジャンル別の番組をリスト表示した所定の番組表（以下、「ジャンル別番組表Ｌａ」という）を表示させたい一のジャンルを指定する際に操作される。
【００２９】
また、操作部１６は、例えば、選択手段として、ユーザが、表示制御プログラム１８３ｂを実行したＣＰＵ１８１（後述）により映像表示部１５に表示された番組表（例えば、ジャンル別番組表Ｌａ）の中から、一の番組を選択する際に操作される。
【００３０】
また、操作部１６は、例えば、第２指定手段として、ユーザが、表示制御プログラム１８３ｂを実行したＣＰＵ１８１（後述）により映像表示部１５に表示された所定の条件を満たすジャンルをリスト表示した表（以下、「関連ジャンル表Ｌｂ」という）に挙げられた複数のジャンルの中から、一のジャンルを指定する際に操作される。
【００３１】
記憶部１７は、例えば、磁気的記録媒体、光学的記録媒体、若しくは半導体メモリで構成される。
具体的には、記憶部１７は、例えば、図１に示すように、ＥＰＧ情報データテーブル１７ａと、相関データテーブル１７ｂと、等を記憶している。
【００３２】
ＥＰＧ情報データテーブル１７ａは、制御部１８から入力される制御信号に従って、例えば、番組情報記憶手段として、チューナ１１により取得されたＥＰＧ情報を記憶する。
ここで、ＥＰＧ情報データテーブル１７ａに記憶されるＥＰＧ情報は、例えば、チューナ１１によりＥＰＧ情報が取得される度に更新されることとする。
【００３３】
相関データテーブル１７ｂは、制御部１８から入力される制御信号に従って、例えば、相関記憶手段として、ユーザによる操作部１６の操作により最初に指定された一のジャンルと、ユーザによる操作部１６の操作により選択された一の番組が属するジャンルと、の相関性を示す相関評価値を作成して記憶する。
ここで、相関評価値とは、例えば、ユーザによる操作部１６の操作により最初に指定された一のジャンルに対応付けられた、ユーザによる操作部１６の操作により選択された一の番組が属するジャンルの被選択回数である。
【００３４】
具体的には、相関データテーブル１７ｂは、例えば、図２に示すように、ユーザによる操作部１６の操作により“最初に指定されたジャンル”に対応付けられた、ユーザによる操作部１６の操作により選択された一の番組が属するジャンルの“被選択回数[回]”を記憶している。
例えば、図２の相関データテーブル１７ｂには、“最初に指定されたジャンル”が「スポーツ」であった場合、“被選択回数[回]”は、「映画」が「２回」、「音楽」が「０回」、「バラエティ」が「１回」、「ニュース・報道」が「９回」、「ドキュメンタリ」が「３回」であると記憶されている。
【００３５】
制御部１８は、例えば、図１に示すように、ＣＰＵ（Central Processing Unit）１８１と、ＲＡＭ（Random Access Memory）１８２と、ＲＯＭ（Read Only Memory）１８３と、等を備えている。
【００３６】
ＣＰＵ１８１は、例えば、ＲＯＭ１８３に記憶されたＴＶ受信装置１用の各種処理プログラムに従って各種の制御動作を行う。
【００３７】
ＲＡＭ１８２は、例えば、ＣＰＵ１８１によって実行される処理プログラムなどを展開するためのプログラム格納領域や、入力データや上記処理プログラムが実行される際に生じる処理結果などを格納するデータ格納領域などを備える。
【００３８】
ＲＯＭ１８３は、ＴＶ受信装置１で実行可能なシステムプログラム、当該システムプログラムで実行可能な各種処理プログラム、これら各種処理プログラムを実行する際に使用されるデータ、ＣＰＵ１８１によって演算処理された処理結果のデータ等を記憶する。なお、プログラムは、コンピュータが読み取り可能なプログラムコードの形でＲＯＭ１８３に記憶されている。
【００３９】
具体的には、ＲＯＭ１８３は、例えば、図１に示すように、受信制御プログラム１８３ａと、表示制御プログラム１８３ｂと、等を記憶している。
【００４０】
受信制御プログラム１８３ａは、例えば、ユーザによる操作部１６の操作により選択された一の番組に関するＴＶ放送信号を、チューナ１１に受信させる機能を、ＣＰＵ１８１に実現させる。
【００４１】
具体的には、ＣＰＵ１８１は、例えば、映像表示部１５に表示された番組表（例えば、ジャンル別番組表Ｌａ）の中から一の番組が選択されると、チューナ１１に、当該一の番組のチャンネルに対応する周波数帯域を設定して、当該一の番組に関するＴＶ放送信号を受信させる。
ＣＰＵ１８１は、かかる受信制御プログラム１８３ａを実行することによって、受信制御手段として機能する。
【００４２】
表示制御プログラム１８３ｂは、例えば、ユーザによる操作部１６の操作により一のジャンルが指定された場合に、ＥＰＧ情報データテーブル１７ａに記憶された当該一のジャンルに属する番組のＥＰＧ情報に基づいて、ジャンル別番組表Ｌａを映像表示部１５に表示させる機能を、ＣＰＵ１８１に実現させる。
【００４３】
また、表示制御プログラム１８３ｂは、例えば、ユーザによる操作部１６の操作により指定された一のジャンルに属する番組のＥＰＧ情報に基づくジャンル別番組表Ｌａとともに、相関データテーブル１７ｂに記憶された当該一のジャンルとの間の相関評価値が所定の条件を満たすジャンルをリスト表示した関連ジャンル表Ｌｂを、映像表示部１５に表示させる機能を、ＣＰＵ１８１に実現させる。
ここで、相関データテーブル１７ｂに記憶されたユーザによる操作部１６の操作により指定された一のジャンルとの間の相関評価値が所定の条件を満たすジャンルとは、例えば、相関データテーブル１７ｂに記憶された当該一のジャンルに対応する被選択回数が所定の閾値以上のジャンルである。
【００４４】
具体的には、ＣＰＵ１８１は、例えば、ユーザによる操作部１６の操作により一のジャンル（例えば、「スポーツ」）が指定されると、例えば、図３の上図に示すように、ＥＰＧ情報データテーブル１７ａに記憶されたジャンル「スポーツ」に属する番組のＥＰＧ情報に基づくジャンル別番組表Ｌａと、相関データテーブル１７ｂ（例えば、図２）に記憶されたジャンル「スポーツ」に対応する被選択回数が所定の閾値（例えば、「３回」）以上のジャンルをリスト表示した関連ジャンル表Ｌｂと、を映像表示部１５に表示させる。
ここで、関連ジャンル表Ｌｂには、例えば、被選択回数が多いものから順に、ジャンルが表示される。
【００４５】
また、表示制御プログラム１８３ｂは、例えば、ユーザによる操作部１６の操作により関連ジャンル表Ｌｂに挙げられた複数のジャンルの中から一のジャンルが指定された場合に、ＥＰＧ情報データテーブル１７ａに記憶された当該一のジャンルに属する番組のＥＰＧ情報に基づいて、ジャンル別番組表Ｌａを映像表示部１５に表示させる機能を、ＣＰＵ１８１に実現させる。
具体的には、ＣＰＵ１８１は、例えば、ユーザによる操作部１６の操作により関連ジャンル表Ｌｂ（例えば、図３の上図）に挙げられた複数のジャンルの中から一のジャンル（例えば、「ニュース・報道」）が指定されると、例えば、図３の下図に示すように、ＥＰＧ情報データテーブル１７ａに記憶されたジャンル「ニュース・報道」に属する番組のＥＰＧ情報に基づくジャンル別番組表Ｌａを、映像表示部１５に表示させる。
ＣＰＵ１８１は、かかる、表示制御プログラム１８３ｂを実行することによって、第１表示制御手段、第２表示制御手段及び第３表示制御手段として機能する。
【００４６】
＜ジャンル別番組表の表示＞
次に、ＴＶ受信装置１によるジャンル別番組表Ｌａの表示に関する処理について、図４のフローチャートを参照して説明する。
【００４７】
まず、ユーザによる操作部１６の操作により一のジャンルが指定されると（ステップＳ１）、ＣＰＵ１８１は、表示制御プログラム１８３ｂを実行して、例えば、図３の上図に示すように、ＥＰＧ情報データテーブル１７ａに記憶されたステップＳ１にて指定された一のジャンルに属する番組のＥＰＧ情報に基づいて、ジャンル別番組表Ｌａを映像表示部１５に表示させるとともに（ステップＳ２）、相関データテーブル１７ｂに記憶されたステップＳ１にて指定された一のジャンルに対応する被選択回数が所定の閾値以上のジャンルをリスト表示した関連ジャンル表Ｌｂを、映像表示部１５に表示させる（ステップＳ３）。
【００４８】
次いで、ＣＰＵ１８１は、ユーザによる操作部１６の操作により、ステップＳ２にて表示されたジャンル別番組表Ｌａの中から、一の番組が選択されたか否かを判断する（ステップＳ４）。
【００４９】
ステップＳ４で、ステップＳ２にて表示されたジャンル別番組表Ｌａの中から、一の番組が選択されたと判断すると（ステップＳ４；Ｙｅｓ）、ＣＰＵ１８１は、受信制御プログラム１８３ａを実行して、ステップＳ４にて選択された一の番組に関するＴＶ放送信号を、チューナ１１に受信させ（ステップＳ５）、本処理を終了する。
【００５０】
一方、ステップＳ４で、ステップＳ２にて表示されたジャンル別番組表Ｌａの中から、一の番組が選択されていないと判断すると（ステップＳ４；Ｎｏ）、ＣＰＵ１８１は、ユーザによる操作部１６の操作により、ステップＳ３にて表示された関連ジャンル表Ｌｂの中から、一のジャンルが指定されたか否かを判断する（ステップＳ６）。
【００５１】
ステップＳ６で、ステップＳ３にて表示された関連ジャンル表Ｌｂの中から、一のジャンルが指定されていないと判断すると（ステップＳ６；Ｎｏ）、ＣＰＵ１８１は、ステップＳ４以降の処理を繰り返して行う。
【００５２】
一方、ステップＳ６で、ステップＳ３にて表示された関連ジャンル表Ｌｂの中から、一のジャンルが指定されたと判断すると（ステップＳ６；Ｙｅｓ）、ＣＰＵ１８１は、表示制御プログラム１８３ｂを実行して、例えば、図３の下図に示すように、ＥＰＧ情報データテーブル１７ａに記憶されたステップＳ６にて指定された一のジャンルに属する番組のＥＰＧ情報に基づいて、ジャンル別番組表Ｌａを映像表示部１５に表示させる（ステップＳ７）。
【００５３】
次いで、ＣＰＵ１８１は、ユーザによる操作部１６の操作により、ステップＳ７にて表示されたジャンル別番組表Ｌａの中から、一の番組が選択されたか否かを判断する（ステップＳ８）。
【００５４】
ステップＳ８で、ステップＳ７にて表示されたジャンル別番組表Ｌａの中から、一の番組が選択されていないと判断すると（ステップＳ８；Ｎｏ）、ＣＰＵ１８１は、ユーザによる操作部１６の操作により、最初に指定された一のジャンル（すなわち、ステップＳ１にて指定された一のジャンル）のジャンル別番組表Ｌａに戻るよう指示されたか否かを判断する（ステップＳ９）。
【００５５】
ステップＳ９で、最初に指定された一のジャンルのジャンル別番組表Ｌａに戻るよう指示されていないと判断すると（ステップＳ９；Ｎｏ）、ＣＰＵ１８１は、ステップＳ８以降の処理を繰り返して行う。
【００５６】
一方、ステップＳ９で、最初に指定された一のジャンルのジャンル別番組表Ｌａに戻るよう指示されたと判断すると（ステップＳ９；Ｙｅｓ）、ＣＰＵ１８１は、ステップＳ２以降の処理を繰り返して行う。
【００５７】
また、ステップＳ８で、ステップＳ７にて表示されたジャンル別番組表Ｌａの中から、一の番組が選択されたと判断すると（ステップＳ８；Ｙｅｓ）、ＣＰＵ１８１は、受信制御プログラム１８３ａを実行して、ステップＳ８にて選択された一の番組に関するＴＶ放送信号を、チューナ１１に受信させる（ステップＳ１０）。
【００５８】
次いで、ＣＰＵ１８１は、相関データテーブル１７ｂに、最初に指定された一のジャンル（すなわち、ステップＳ１にて指定された一のジャンル）に対応付けて、ステップＳ８にて選択された一の番組が属するジャンルの被選択回数を記憶させて（ステップＳ１１）、本処理を終了する。
【００５９】
以上説明した本発明のＴＶ受信装置１によれば、チューナ１１によって、テレビジョン放送波からＴＶ放送信号を受信することができ、チューナ１１によって、テレビジョン放送波から番組のジャンルを示すジャンル情報を含むＥＰＧ情報を取得することができ、ＥＰＧ情報データテーブル１７ａによって、チューナ１１により取得されたＥＰＧ情報を記憶することができ、ユーザによる操作部１６の操作によって、一のジャンルを指定することができ、表示制御プログラム１８３ｂを実行したＣＰＵ１８１によって、ユーザによる操作部１６の操作により一のジャンルが指定された場合に、ＥＰＧ情報データテーブル１７ａに記憶された当該一のジャンルに属する番組のＥＰＧ情報に基づいて、ジャンル別番組表Ｌａを映像表示部１５に表示させることができ、ユーザによる操作部１６の操作によって、表示制御プログラム１８３ｂを実行したＣＰＵ１８１により映像表示部１５に表示されたジャンル別番組表Ｌａの中から、一の番組を選択することができ、受信制御プログラム１８３ａを実行したＣＰＵ１８１によって、ユーザによる操作部１６の操作により選択された一の番組に関するＴＶ放送信号を、チューナ１１に受信させることができ、相関データテーブル１７ｂによって、ユーザによる操作部１６の操作により最初に指定された一のジャンルに対応付けて、ユーザによる操作部１６の操作により選択された一の番組が属するジャンルの被選択回数を記憶することができ、表示制御プログラム１８３ｂを実行したＣＰＵ１８１によって、表示制御プログラム１８３ｂを実行したＣＰＵ１８１により映像表示部１５に表示されたユーザによる操作部１６の操作により指定された一のジャンルに属する番組のＥＰＧ情報に基づくジャンル別番組表Ｌａとともに、相関データテーブル１７ｂに記憶された当該一のジャンルに対応する被選択回数が所定の閾値以上のジャンルをリスト表示した関連ジャンル表Ｌｂを、映像表示部１５に表示させることができる。
すなわち、最初に指定された一のジャンルのジャンル別番組表Ｌａとともに、当該最初に指定された一のジャンルと相関するユーザの感覚に近いジャンルをリスト表示した関連ジャンル表Ｌｂを提示することができるため、ユーザによるユーザ所望の番組の検索を容易にすることができる。
【００６０】
また、ユーザによる操作部１６の操作によって、表示制御プログラム１８３ｂを実行したＣＰＵ１８１により映像表示部１５に表示されたユーザによる操作部１６の操作により指定された一のジャンルに対応する被選択回数が所定の閾値以上の複数のジャンル（すなわち、関連ジャンル表Ｌｂに挙げられた複数のジャンル）の中から、一のジャンルを指定することができ、表示制御プログラム１８３ｂを実行したＣＰＵ１８１によって、ユーザによる操作部１６の操作により一のジャンルが指定された場合に、ＥＰＧ情報データテーブル１７ａに記憶された当該一のジャンルに属する番組のＥＰＧ情報に基づいて、ジャンル別番組表Ｌａを映像表示部１５に表示させることができる。
すなわち、ユーザの感覚に近い複数のジャンルの中から一のジャンルを指定すると、当該ジャンルのジャンル別番組表Ｌａを表示することができるため、ユーザによるユーザ所望の番組の検索をより一層容易にすることができる。
【００６１】
なお、本発明は、上記した実施の形態のものに限るものではなく、その要旨を逸脱しない範囲で適宜変更可能である。
【００６２】
相関評価値は、ユーザによる操作部１６の操作により最初に指定された一のジャンルに対応付けられた、ユーザによる操作部１６の操作により選択された一の番組が属するジャンルの被選択回数の限りでなく、ユーザによる操作部１６の操作により最初に指定された一のジャンルと、ユーザによる操作部１６の操作により選択された一の番組が属するジャンルと、の相関性を示す値であれば任意である。
具体的には、相関評価値は、例えば、被選択回数に、選択された一の番組が属するジャンルに割り当てられた重み付けを掛けた値等であってもよい。
【００６３】
相関データテーブル１７ｂに被選択回数を記憶させる際、最初に指定された一のジャンルと、選択された一の番組が属するジャンルと、に基づいて、自動的に記憶させるようにしたが、例えば、手動で記憶させるようにしてもよい。
具体的には、例えば、一の番組が選択された後、改めて、最初に指定された一のジャンルと、当該選択された一の番組が属するジャンルと、をユーザに指定させてから、被選択回数を相関データテーブル１７ｂに記憶させるようにしてもよいし、例えば、一の番組が選択された後、最初に指定された一のジャンルと、当該選択された一の番組が属するジャンルと、をユーザに確認させてから、被選択回数を相関データテーブル１７ｂに記憶させるようにしてもよい。
【００６４】
番組のジャンルは、「映画」、「スポーツ」、「音楽」、「バラエティ」、「ニュース・報道」、「ドキュメンタリ」の限りでなく任意である。
また、番組のジャンルは、さらに細かい分類（例えば、「映画（邦画）」、「スポーツ（サッカー）」等）であってもよい。
【００６５】
＜変形例＞
表示制御プログラム１８３ｂを実行したＣＰＵ１８１は、関連ジャンル表Ｌｂに挙げられた複数のジャンルの中から、ユーザによる操作部１６の操作により一のジャンルが指定された場合に、ＥＰＧ情報データテーブル１７ａに記憶された当該指定された一のジャンルに属する番組のＥＰＧ情報に基づいて、ジャンル別番組表Ｌａを映像表示部１５に表示させる限りでなく、例えば、最初に指定された一のジャンルのジャンル別番組表Ｌａが表示された後、関連ジャンル表Ｌｂに挙げられた複数のジャンルのうちの相関評価値が高いジャンル（すなわち、被選択回数が多いジャンル）から順に、ＥＰＧ情報データテーブル１７ａに記憶された当該ジャンルに属する番組のＥＰＧ情報に基づいて、ジャンル別番組表Ｌａを映像表示部１５に表示させるようにしてもよい。
すなわち、ＣＰＵ１８１は、最初に指定されたジャンルのジャンル別番組表Ｌａが表示された後、自動的に、当該最初に指定されたジャンルとの相関性が高いジャンルから順に、そのジャンルのジャンル別番組表Ｌａを表示するようにしてもよい。
【００６６】
具体的には、ＣＰＵ１８１は、例えば、最初に指定された一のジャンルのジャンル別番組表Ｌａを表示させた後、ユーザによる操作部１６の操作により次のジャンル別番組表Ｌａを表示するよう指示されると、自動的に、相関評価値が最も高いジャンルのジャンル別番組表Ｌａを表示し、次いで、再度、ユーザによる操作部１６の操作により次のジャンル別番組表Ｌａを表示するよう指示されると、自動的に、相関評価値が二番目に高いジャンルのジャンル別番組表Ｌａを表示する、という動作を繰り返し、そして、関連ジャンル表Ｌｂに挙げられた全てのジャンルのジャンル別番組表Ｌａを表示させた後に、再度、ユーザによる操作部１６の操作により次のジャンル別番組表Ｌａを表示するよう指示されると、自動的に、当該最初に指定された一のジャンルのジャンル別番組表Ｌａを表示させるようにしてもよい。
【００６７】
この変形例の場合、最初に指定された一のジャンルのジャンル別番組表Ｌａを表示させた後、自動的に、ユーザの感覚に近いジャンルから順に、当該ジャンルのジャンル別番組表Ｌａを表示することができるため、ユーザ所望の番組の検索をより一層容易にすることができる。
【図面の簡単な説明】
【００６８】
【図１】本発明にかかるテレビジョン受信装置の機能的構成を示すブロック図である。
【図２】図１に示した相関データテーブルのデータ構造を示す図である。
【図３】ジャンル別番組表が表示された画面を説明するための図である。
【図４】ＴＶ受信装置によるジャンル別番組表の表示に関する処理について説明するためのフローチャートである。
【符号の説明】
【００６９】
１  ＴＶ受信装置（テレビジョン受信装置）
１１  チューナ（受信手段、取得手段）
１５  映像表示部（表示手段）
１６  操作部（指定手段（第１指定手段）、選択手段、第２指定手段）
１７ａ  ＥＰＧ情報データテーブル（番組情報記憶手段）
１７ｂ  相関データテーブル（相関記憶手段）
１８１  ＣＰＵ（受信制御手段、第１表示制御手段、第２表示制御手段、第３表示制御手段）
１８３ａ  受信制御プログラム（受信制御手段）
１８３ｂ  表示制御プログラム（第１表示制御手段、第２表示制御手段、第３表示制御手段）
Ｌａ  ジャンル別番組表（所定の番組表）
【図１】
2008054198.tif 000003
【図２】
2008054198.tif 000004
【図３】
2008054198.tif 000005
【図４】
2008054198.tif 000006